(57)【要約】【課題】流し鉢の排水孔部と排水器具とをしっかりと、且つ排水管が流し鉢の上方から見えないように連結することができる流し鉢の排水管接続構造を提供する。【解決手段】接続管７を排水孔部３に取り付けるには、ユニオンナット６にストッパ５を内嵌させておき、このストッパ５及びユニオンナット６を排水孔部３に外嵌めして上方に押し上げ、ストッパ５を溝４に係合させる。次いで、パッキン８が装着された接続管７を排水孔部３の下端面に対峙させ、雄螺子７ｅとユニオンナット６の雌螺子とを係合させた後、ユニオンナット６を回転させ、接続管７を上昇させる。ユニオンナット６を回し続けると、パッキン８が排水孔部３の下端面に押し付けられ、次いで凸条部７ｆが排水孔部３の下端面に当接し、接続管７が排水孔部３に水密的に連結される。【選択図】図２
2012184547.tif 000002
【特許請求の範囲】
【請求項１】
底面から筒状の排水孔部が下方に突設された流し鉢と、
該排水孔部に連なるように設けられた接続管と、
該排水孔部の外周面に設けられた係止部と、
該係止部に装着されたストッパと、
を備えており、前記接続管は該ストッパを介して該排水孔部に連結されていることを特徴とする流し鉢の排水管接続構造。
【請求項２】
請求項１において、前記流し鉢は陶磁器製であり、
前記係止部は前記排水孔部の外周を周回しており、
前記ストッパは、周方向の一部が切り取られた形状であることを特徴とする流し鉢の排水管接続構造。
【請求項３】
請求項１又は２において、前記ストッパは、外周側の下面及び上面の少なくとも一方に周方向に延在する凸条が設けられており、該凸条が前記溝に沿う前記排水孔部の外周面に当接していることを特徴とする流し鉢の排水管接続構造。
【請求項４】
請求項１ないし３のいずれか１項において、前記接続管の上部外周面に雄螺子が設けられており、
ストッパに係合することにより該排水孔部に対し係止されると共に、前記接続管の雄螺子に螺合した雌螺子を備えたユニオンナットが設けられており、
該ユニオンナットを介して前記接続管が前記排水孔部に対し連結されていることを特徴とする流し鉢の排水管接続構造。
【請求項５】
請求項４において、前記ユニオンナットは、その上端部に内向き鍔部を有しており、該内向き鍔部の内周面は、上方ほど小径となる階段状又はテーパ状となっていることを特徴とする流し鉢の排水管接続構造。
【請求項６】
請求項４又は５において、前記ユニオンナットに、前記ストッパが差し込まれたスリットが設けられていることを特徴とする流し鉢の排水管接続構造。
【請求項７】
請求項６において、前記ストッパを前記スリットから抜き出すときに工具をスリットに差し込むための低段部が該ストッパの外縁部に設けられていることを特徴とする流し鉢の排水管接続構造。
【請求項８】
請求項４ないし７のいずれか１項において、前記接続管の上端部と前記排水孔部の下端面との間にパッキンが介在されており、
該接続管の上端部には、該排水孔部の下端面に当接した凸条部が設けられていることを特徴とする流し鉢の排水管接続構造。
【請求項９】
請求項１ないし３のいずれか１項において、前記接続管の上端は、前記係止部よりも上方に位置しており、
該接続管の上端近傍にスリットが設けられており、
前記ストッパは、該スリットに差し込まれて前記係止部に係合していることを特徴とする流し鉢の排水管接続構造。
【発明の詳細な説明】
【技術分野】
【０００１】
本発明は、洗面器、手洗器、掃除流しなどの流し鉢の排水孔部と排水管とを接続した構造に係り、特に流し鉢が陶磁器製である場合に好適に採用される排水管接続構造に関する。
【背景技術】
【０００２】
洗面器、手洗器、掃除流しなどの流し鉢の排水口と排水管とを接続するには、排水口にフランジ付きアダプタ（管状体）を上方から差し込み、該アダプタ上端の該フランジを該排水口の上縁に係合させ、該アダプタに下方からナットを締め込み、該アダプタを該洗面器又は手洗器に固定し、このアダプタに排水管を接続することが広く行われている。
【０００３】
この接続構造では、フランジが洗面器又は手洗器等の鉢内に露呈するので、フランジと鉢との境界にゴミが溜ったり、フランジが腐食したりすることにより見栄えが悪くなることがあった。
【０００４】
かかる短所を解決するものとして、流し鉢底面から下方に短い筒状の排水孔部を突設しこの排水孔部を流し鉢下側の排水器具に上方から差し込み、パッキンでシールする構造が特許文献１に記載されている。
【０００５】
特許文献２には、ステンレスシンクの排水口の下側に鍔部を設け、この鍔部に排水管のフランジを当接させ、ロックナットによって両者を連結することが記載されている。
【先行技術文献】
【特許文献】
【０００６】
【特許文献１】実開平４−１２６９７４
【特許文献２】特開２００７−２５５０２８
【発明の概要】
【発明が解決しようとする課題】
【０００７】
特許文献１の排水孔部と排水器具との接続構造では、排水器具に下向きに大きな力が加えられると排水器具が排水孔部から外れるおそれがある。
【０００８】
特許文献２は、シンクがステンレス製である場合には、適用することができるが、従来の陶磁器製の鉢には鍔部が存在しないので、特許文献２の構造を採用することができない。
【０００９】
本発明は、流し鉢の排水孔部と排水器具とをしっかりと、且つ排水管が流し鉢の上方から見えないように連結することができる流し鉢の排水管接続構造を提供することを目的とする。
【課題を解決するための手段】
【００１０】
本発明（請求項１）の流し鉢の排水管接続構造は、底面から筒状の排水孔部が下方に突設された流し鉢と、該排水孔部に連なるように設けられた接続管と、該排水孔部の外周面に設けられた係止部と、該係止部に装着されたストッパと、を備えており、前記接続管は該ストッパを介して該排水孔部に連結されていることを特徴とするものである。
【００１１】
請求項２の流し鉢の排水管接続構造は、請求項１において、前記流し鉢は陶磁器製であり、前記係止部は前記排水孔部の外周を周回しており、前記ストッパは、周方向の一部が切り取られた形状であることを特徴とするものである。
【００１２】
請求項３の流し鉢の排水管接続構造は、請求項１又は２において、前記ストッパは、外周側の下面及び上面の少なくとも一方に周方向に延在する凸条が設けられており、該凸条が前記溝に沿う前記排水孔部の外周面に当接していることを特徴とするものである。
【００１３】
請求項４の流し鉢の排水管接続構造は、請求項１ないし３のいずれか１項において、前記接続管の上部外周面に雄螺子が設けられており、ストッパに係合することにより該排水孔部に対し係止されると共に、前記接続管の雄螺子に螺合した雌螺子を備えたユニオンナットが設けられており、該ユニオンナットを介して前記接続管が前記排水孔部に対し連結されていることを特徴とするものである。
【００１４】
請求項５の流し鉢の排水管接続構造は、請求項４において、前記ユニオンナットは、その上端部に内向き鍔部を有しており、該内向き鍔部の内周面は、上方ほど小径となる階段状又はテーパ状となっていることを特徴とするものである。
【００１５】
請求項６の流し鉢の排水管接続構造は、請求項４又は５において、前記ユニオンナットに、前記ストッパが差し込まれたスリットが設けられていることを特徴とするものである。
【００１６】
請求項７の流し鉢の排水管接続構造は、請求項６において、前記ストッパを前記スリットから抜き出すときに工具をスリットに差し込むための低段部が該ストッパの外縁部に設けられていることを特徴とするものである。
【００１７】
請求項８の流し鉢の排水管接続構造は、請求項４ないし７のいずれか１項において、前記接続管の上端部と前記排水孔部の下端面との間にパッキンが介在されており、該接続管の上端部には、該排水孔部の下端面に当接した凸条部が設けられていることを特徴とするものである。
【００１８】
請求項９の流し鉢の排水管接続構造は、請求項１ないし３のいずれか１項において、前記接続管の上端は、前記係止部よりも上方に位置しており、該接続管の上端近傍にスリットが設けられており、前記ストッパは、該スリットに差し込まれて前記係止部に係合していることを特徴とするものである。
【発明の効果】
【００１９】
本発明の流し鉢の排水管接続構造にあっては、排水孔部に設けた溝などの係止部にストッパが係合し、接続管が該ストッパを介して排水孔部に連結されているので、ボウルが陶磁器製であっても、接続管を排水孔部にしっかりと連結することができる。
【００２０】
溝を排水孔部に周設し、ストッパをＣリング形状など周方向の一部を切り取った形状とすることにより、排水孔部に寸法公差があっても、ストッパを溝などの係止部に対ししっかりと装着することができる。
【００２１】
ストッパの外周側の下面又は上面に凸条を設け、この凸条を排水孔部の外周面に当接させることにより、ストッパの装着姿勢が安定したものとなる。
【００２２】
本発明では、ストッパに対しユニオンナットを係止させ、このユニオンナットを接続管の上部に螺着させることにより、接続管を上方に引きつけて接続管と排水孔部とを堅固に連結することができる。また、接続管と排水孔部の下端面との間にパッキンを介在させ、このパッキンと接続管と排水孔部との間で挟圧し、水密的に両者を連結することも可能である。
【００２３】
このようにパッキンを用いる場合、接続管上端に凸部を設け、この凸部を排水孔部の下端面に当接させることにより、パッキンが過度に強く挟圧されることを防止できる。
【００２４】
ユニオンナットを用いる場合、ユニオンナットの上部に内向き鍔部を設け、この内向き鍔部の内周面を上方ほど小径となる階段状又はテーパ状としてもよい。このようにすれば、寸法公差により排水孔部の口径が比較的大きい場合であっても、内向き鍔部をストッパに係合させることができる。なお、内向き鍔部の内周面をテーパ状としたときには、接続管と排水孔部とを同軸状とする芯出しが容易となる。
【００２５】
本発明の一態様では、ユニオンナットにスリットを設け、このスリットを通してストッパを排水孔部の溝などの係止部に係合させる。また、本発明の別の一態様では、ユニオンナットを省略し、接続管を溝などの係止部よりも上方にまで延出させ、この接続管上部にスリットを設け、このスリットを通してストッパを排水孔部の係止部に係合させる。これらの態様によると、ユニオンナット又は排水管を排水孔部に係合させた後に、ストッパを装着することが可能である。
【００２６】
これらの態様の場合、ストッパの外縁部に工具差し込み用の低段部を設けておくと、スリットに差し込まれたストッパを引き出すことが容易となる。
【図面の簡単な説明】
【００２７】
【図１】実施の形態に係る流し鉢の排水管接続構造を示す縦断面図である。
【図２】図１の一部の拡大図である。
【図３】手洗器の排水孔部の断面図である。
【図４】ストッパの平面図と断面図である。
【図５】接続管の断面図である。
【図６】ストッパの別例を示す断面図である。
【図７】ストッパの別例を示す断面図である。
【図８】別の実施の形態に係るユニオンナット及び排水孔部付近の断面図である。
【図９】別の実施の形態に係るユニオンナット及び排水孔部付近の断面図である。
【図１０】別の実施の形態に係る排水孔部付近の断面図である。
【図１１】別の実施の形態に用いられるユニオンナット及びストッパの斜視図である。
【図１２】図１１のユニオンナット及びストッパの平面図である。
【図１３】さらに別の実施の形態に用いられるストッパ及びユニオンナットの平面図である。
【図１４】パッキンの別形状例を示す排水孔部付近の断面図である。
【図１５】溝の別形状を示す排水孔部の断面図である。
【図１６】異なる実施の形態を示す排水孔部付近の断面図である。
【発明を実施するための形態】
【００２８】
以下、図面を参照して実施の形態について説明する。
【００２９】
図１〜５は第１の実施の形態を示すものである。図１，２の通り、陶器製の手洗器１の鉢部２の底面から下方に短い筒状の排水孔部３が突設されている。排水孔部３の外周に係止部としての溝４が設けられ、この溝４にストッパ５が装着されている。このストッパ５に対し、ユニオンナット（袋ナット）６が係止され、該ユニオンナット６によって接続管７が排水孔部３に連結されている。排水孔部３の下端面と接続管７の上端面との間にはパッキン８が介在されている。
【００３０】
図３に拡大して示されるように、溝４は排水孔部３の外周面を周回している。
【００３１】
ストッパ５は、図４（ａ），（ｂ）に示される通り、リングの周方向の一部を切り取ってスリット部５ａを形成したＣ字形状のものであり、このスリット部５ａを拡げることにより排水孔部３に外嵌して溝４に装着可能となっている。この実施の形態では、ストッパ５の外周側の下面に凸条５ｂが突設されている。この凸条５ｂは、ストッパ５の全外周に沿って延在している。この凸条５ｂの内周面が排水孔部３の溝４の下縁側の外周面に当接することにより、ストッパ５の排水孔部３への装着姿勢が安定するよう構成されている。
【００３２】
ユニオンナット６は、図２の通り、上端部に内向きの鍔状部６ａが設けられ、該鍔状部６ａよりも下側の内周面に雌螺子（符号略）が設けられている。
【００３３】
接続管７は、図５の通り、直管部７ａと、該直管部７ａの上端に連なる、上方に向って拡径するテーパ部７ｂと、該テーパ部７ｂから外向き鍔状に設けられたフランジ部７ｃと、該フランジ部７ｃの外周縁を周回する環状壁部７ｄと、該環状壁部７ｄの外周面に設けられた雄螺子７ｅと、該フランジ部７ｃの内周縁を周回する、上方に突設された凸条部７ｆと、該凸条部７ｆと環状壁部７ｄとの間の凹条部７ｇとを有する。この凹条部７ｇに前記パッキン８が装着されている。
【００３４】
接続管７を排水孔部３に取り付けるには、ユニオンナット６にストッパ５を内嵌させておき、このストッパ５及びユニオンナット６を排水孔部３に外嵌めして上方に押し上げ、ストッパ５を溝４に係合させる。次いで、パッキン８が装着された接続管７を排水孔部３の下端面に対峙させ、雄螺子７ｅとユニオンナット６の雌螺子とを係合させた後、ユニオンナット６を回転させ、接続管７を上昇させる。ユニオンナット６を回し続けると、やがて接続管７のパッキン８が排水孔部３の下端面に押し付けられ、次いで凸条部７ｆが排水孔部３の下端面に当接する。これにより、接続管７が排水孔部３に水密的に且つ堅固に連絡される。なお、凸条部７ｆが排水孔部３の下端面に当接するので、パッキン８がそれ以上無理に押し潰されることがない。
【００３５】
このように排水孔部３に接続管７を接続した後、該接続管７と床や壁の排水管とを接続する。この接続構造は従来と同様であり、特に限定されるものではないが、その一例を図１，２に示す。接続管７に対し下方からＪ字状のトラップ管１０の流入側を外嵌させる。該トラップ管の該流入側の外周面に雄螺子が設けられ、ユニオンナット１１が螺着され、該ユニオンナット１１の上端部の内向き鍔部とトラップ管１０の流入側の上端との間にリング状パッキン１２が介在されている。該ユニオンナット１１をトラップ管１０に締め込むと、該リング状パッキン１２が縮径し、接続管７とトラップ管１０とが水密的に連結される。トラップ管１０の流出側は逆Ｊ字形の立下り管１５を介して床排水管（図示略）に接続される。
【００３６】
トラップ管１０の該流出側の外周面に雄螺子が設けられ、ユニオンナット１３が螺着されている。ユニオンナット１３の上端の内向き鍔部とトラップ管１０の流出側の上端との間にリング状パッキン１４が介在されている。ユニオンナット１３を回して締め込むことにより、リング状パッキン１４が縮径し、トラップ管１０と立下り管１５とが水密的に連結される。
【００３７】
この実施の形態では、接続管７がユニオンナット６及びストッパ５を介して排水孔部３に連結されており、該ストッパ５が溝４に係合しているので、接続管７の排水孔部３への取り付け強度が高い。また、パッキン８がフランジ部７ｃと排水孔部３の下端面との間に介在しており、接続管７と排水孔部３とは水密的に連結される。このフランジ部７ｃから立設された凸条部７ｆが排水孔部３の下端に当接するので、パッキン８を過度に強く挟圧することが防止される。
【００３８】
図１ではトラップ管１０を床排水管に接続しているが、壁排水管に接続してもよい。
【００３９】
＜別の実施の形態＞
上記実施の形態では、ストッパ５に凸条部５ｂが設けられているが、図６のストッパ５Ａのように凸条部５ｂを省略してもよい。また、図７のように凸条部５ｂが上面側に設けられたストッパ５Ｂを用いてもよい。なお、この凸条部５ｂの上部の外周面は、上方ほど縮径するテーパ面となっている。
【００４０】
図８（ａ）はユニオンナットの別形状例を示す断面図、図８（ｂ），（ｃ）はその使用例を示す排水孔部付近の縦断面図である。
【００４１】
このユニオンナット６Ａの鍔部６ａの下面には、下方ほど拡径する階段状に係止段部６ｃ，６ｄが設けられている。係止段部６ｃは係止段部６ｄよりも小径である。符号６ｂはユニオンナット６Ａの内周面の雌螺子を示している。
【００４２】
一般に、陶磁器製の鉢は寸法公差が大きく、排水孔部３の外径に最大で６ｍｍ程度の公差が生じることがある。排水孔部３の口径が小さい時には、図８（ｂ）の通り、係止段部６ｃにストッパ５Ａが係合し、口径が大きいときには図８（ｃ）の通り、係止段部６ｄにストッパ５Ａが係合する。
【００４３】
図９（ａ）は、内向き鍔部６ａの内周面を下方ほど拡径するテーパ面６ｔとしたユニオンナット６Ｂの断面図である。寸法公差により、排水孔部３の口径が小さい時には、図９（ｂ）のように、ストッパ５Ｂがテーパ面６ｔの上部に係合する。排水孔部３の口径が大きいときには、図９（ｃ）の通り、ストッパ５Ｂがテーパ面６ｔの下部に係合する。
【００４４】
上記実施の形態では、ストッパ５，５Ａ，５Ｂがユニオンナット６，６Ａ，６Ｂに予め内嵌されるが、図１０〜１２のように、ユニオンナット６Ｃを排水孔部３に外嵌させた後にストッパ５Ｃを装着するように構成してもよい。
【００４５】
図１０はこのストッパ５Ｃ及びユニオンナット６Ｃを用いた排水孔部３付近の縦断面図、図１１はストッパ５Ｃ及びユニオンナット６Ｃの斜視図、図１２（ａ），（ｂ）はストッパ５Ｃのユニオンナット６Ｃへの挿入方法を示す平面図である。
【００４６】
図１１の通り、ストッパ５Ｃは２本の円弧状脚部５ｅと、各脚部５ｅ，５ｅの先端から平行に延出した平行脚部５ｆ，５ｆとを有したＣ字形状のものである。脚部５ｅ，５ｅと、それらをつなぐアーチ状部５ｇとの内周面は円弧状部５ｈとなっている。この円弧状部５ｈは、周方向において半円弧よりも長く延在している。アーチ状部５ｇの上面の外周縁に低段部５ｉが設けられている。
【００４７】
ユニオンナット６Ｃには、ストッパ５Ｃが差し込まれるスリット６ｅ，６ｆが設けられている。スリット６ｅ，６ｆはユニオンナット６Ｃの軸心を挟んで互いに反対側に配置されている。
【００４８】
ユニオンナット６Ｃを排水孔部３に外嵌させた後、図１２（ａ），（ｂ）の通り、脚部５ｅ，５ｅをスリット６ｅを通して溝４に係合させる。
【００４９】
ストッパ５Ｃを、円弧状部５ｈの全体が溝４に係合するまでユニオンナット６Ｃ内に差し込んだ後、ユニオンナット６Ｃを回転させ、図１０のようにパッキン８を排水孔部３の下端面に押し付け、排水孔部３と接続管７とを連結する。なお、低段部６ｉは、スリット６ｅ，６ｆに差し込まれたストッパ５Ｃを抜き出す際に工具（図示略）の先端を差し込むためのものである。
【００５０】
図１０〜１２の１個のＣ字状のストッパ５Ｃの代わりに、図１３に示す半円状の１対のストッパ５Ｄ，５Ｄを用いてもよい。このストッパ５Ｄ，５Ｄは、相対向する１対のスリット６ｇ，６ｇを有したユニオンナット６Ｄに対して装着される。各ストッパ５Ｄは、半円弧状の内周面５ｊを有しており、この内周面５ｊが排水孔部３の溝４（図１３では図示略）に係合するようにスリット６ｇに差し込まれる。
【００５１】
ストッパ５Ｄを溝４に係合させた後、ユニオンナット６Ｄを回して接続管７（図１３では図示略）を排水孔部３に連結する。
【００５２】
上記実施の形態ではパッキン８は平たい円環状であるが、図１４のように外周側の上面に凸条８ａを有したパッキン８Ａを用いてもよい。この凸条８ａは、排水孔部３の下端部の外周面に密着する。このパッキン８Ａを用いると、排水孔部３と接続管７との間の水密性がさらに高いものとなる。
【００５３】
本発明では、図１５のように、下面４ａが平坦な溝４Ａを排水孔部３の外周面に設けてもよい。このように下面４ａが平坦であると、ストッパの溝４Ａへの係止強度が高いものとなる。
【００５４】
上記実施の形態では、いずれもユニオンナットを用いているが、本発明では図１６のようにユニオンナットを省略し、接続管７Ａの上端を溝４よりも上方に延出させ、この接続管７Ａの上端に設けたスリット７ｓ，７ｒにストッパ５Ｃを差し込んで溝４に係止させることにより、接続管７Ａを排水孔部３に接続してもよい。
【００５５】
この接続管７Ａは、前述の接続管７とユニオンナット６Ｃとを一体化させた構造のものである。図１６のその他の符号は図１０と同一部分を示している。図１６では、ストッパ５Ｃを用いているが、図１３に示した１対のストッパ５Ｄを用いてもよい。
【００５６】
本発明は手洗器以外の洗面器、掃除流しなどの排水孔部と接続管との接続にも適用できる。
【符号の説明】
【００５７】
１  手洗器
２  鉢部
３  排水孔部
４，４Ａ  溝（係止部）
５，５Ａ，５Ｂ，５Ｃ，５Ｄ  ストッパ
６，６Ａ，６Ｂ，６Ｃ  ユニオンナット
７  接続管
８，８Ａ  パッキン
【図１】
2012184547.tif 000003
【図２】
2012184547.tif 000004
【図３】
2012184547.tif 000005
【図４】
2012184547.tif 000006
【図５】
2012184547.tif 000007
【図６】
2012184547.tif 000008
【図７】
2012184547.tif 000009
【図８】
2012184547.tif 000010
【図９】
2012184547.tif 000011
【図１０】
2012184547.tif 000012
【図１１】
2012184547.tif 000013
【図１２】
2012184547.tif 000014
【図１３】
2012184547.tif 000015
【図１４】
2012184547.tif 000016
【図１５】
2012184547.tif 000017
【図１６】
2012184547.tif 000018